(57)【要約】【課題】対象部材において振動を減衰させ、対象部材から周辺の他部材への振動の伝達を抑制できる、制振装置を提供する。【解決手段】カバー部材１０から周辺への振動の伝達を抑制する制振装置は、カバー部材１０の振動を減衰させる弾性部材２０を備える。カバー部材１０は、弾性変形可能な天井部１３を含む。制振装置には、弾性部材２０を天井部１３の表面１６に対して固定する複数の島状の突起部１４が設けられている。【選択図】図２
2012172791.tif 000002
【特許請求の範囲】
【請求項１】
対象部材から周辺への振動の伝達を抑制する制振装置であって、
前記対象部材の振動を減衰させる弾性部材を備え、
前記対象部材は、弾性変形可能な薄板部を含み、
前記弾性部材を前記薄板部の表面に対して固定する複数の島状の固定部が設けられている、制振装置。
【請求項２】
前記対象部材は、金属材料製である、請求項１に記載の制振装置。
【請求項３】
前記固定部は、前記薄板部が塑性加工されて形成されている、請求項２に記載の制振装置。
【請求項４】
前記固定部は、前記薄板部の前記表面に突起を設けて形成されている、請求項１から請求項３のいずれかに記載の制振装置。
【請求項５】
前記固定部は、前記薄板部を貫通する貫通孔を設けて形成されている、請求項１から請求項３のいずれかに記載の制振装置。
【請求項６】
前記固定部は、前記薄板部の前記表面に窪みを設けて形成されている、請求項１から請求項３のいずれかに記載の制振装置。
【請求項７】
前記弾性部材を前記固定部に対し接着させる接着部材を備える、請求項１から請求項６のいずれかに記載の制振装置。
【発明の詳細な説明】
【技術分野】
【０００１】
本発明は、制振装置に関し、特に、振動を減衰させて振動の伝達を抑制する制振装置に関する。
【背景技術】
【０００２】
電磁ノイズを遮蔽する遮蔽部材に関し、ドライブシャフト、ケーブルおよびモータを覆うように設けられる遮蔽材を含み、ノイズ発生源であるインバータからドライブシャフトへ伝搬され放射される電磁ノイズを遮蔽する技術が提案されている（たとえば、特許文献１参照）。また、車両の駆動ユニット制御用の電気機器上に設けられるカバー部材に関し、駆動ユニットのギヤノイズを吸収する第１部分と、電気機器からの電磁波を吸収する第２部分と、電気機器の振動を減衰させる第３部分とを備え、電動車両に特有の複数のノイズを低減する技術が提案されている（たとえば、特許文献２参照）。
【先行技術文献】
【特許文献】
【０００３】
【特許文献１】特開２００９−２９２１８号公報
【特許文献２】特開２００９−５１２３４号公報
【発明の概要】
【発明が解決しようとする課題】
【０００４】
回転電機の動力により駆動される電動車両においては、ギヤ対を介して複数の軸間の動力伝達を行なう変速機などの歯車伝動機の稼働中に、噛み合わされたギヤの歯面間に作用する力が変動して、ギヤの歯部に噛み合い振動が生じる。その振動がギヤやシャフトなどを通じて伝達され、歯車伝動機のケースが共振して外部に振動が放射されることで、ギヤノイズが発生する。
【０００５】
回転電機を動作させると、トルクを発生させるための加振力により、ステータが振動する。このステータ振動がステータを収納するケーシングを経由して車体に伝達されると、車室内で不快なモータノイズが発生する。
【０００６】
電動車両の駆動ユニットを制御する制御装置は、直流電圧を交流電圧に変換して回転電機を駆動するインバータを含む。インバータは、高速でスイッチング動作を行なうスイッチング素子であるパワートランジスタを含む。このパワートランジスタのスイッチング動作の際の変形に起因して、スイッチングノイズが発生する。このスイッチングノイズが車体に伝達され、車体が共振することにより、スイッチングノイズは音に変化する。
【０００７】
上記のような、電動車両において発生する特有の複数のノイズを低減するために、従来、発音している板材に、たとえばアスファルトシートやゴムシートなどの、振動を減衰させる減衰材を貼り付ける対策が行なわれている。
【０００８】
しかし、減衰材の全面を板材に貼り付けた場合、貼り付けられた減衰材が板材に対する補強材の役割をしてしまい、減衰材を貼り付けた箇所の板材の動きが拘束され、板材の振動が抑制される。減衰材を貼り付けた箇所での板材の振動が小さくなると、減衰材の性能を十分に発揮できず、振動エネルギーを十分に減衰させることができない。そのため、減衰しなかった分のエネルギーが減衰材を貼付していない板材の別の部分で放出され、当該部分で振動が発生して新たな発音箇所ができてしまう問題があった。
【０００９】
本発明は上記の課題に鑑みてなされたものであり、その主たる目的は、対象部材において振動を減衰させ、対象部材から周辺の他部材への振動の伝達を抑制できる、制振装置を提供することである。
【課題を解決するための手段】
【００１０】
本発明に係る制振装置は、対象部材から周辺への振動の伝達を抑制する制振装置であって、対象部材の振動を減衰させる弾性部材を備える。対象部材は、弾性変形可能な薄板部を含む。制振装置には、弾性部材を薄板部の表面に対して固定する複数の島状の固定部が設けられている。
【００１１】
上記制振装置において好ましくは、対象部材は、金属材料製である。好ましくは、固定部は、薄板部が塑性加工されて形成されている。
【００１２】
上記制振装置において、固定部は、薄板部の表面に突起を設けて形成されていてもよく、薄板部を貫通する貫通孔を設けて形成されていてもよく、薄板部の表面に窪みを設けて形成されていてもよい。
【００１３】
上記制振装置において好ましくは、弾性部材を固定部に対し接着させる接着部材を備える。
【発明の効果】
【００１４】
本発明の制振装置によると、対象部材において振動を十分に減衰させることにより、対象部材から周辺の他部材への振動の伝達を抑制することができる。
【図面の簡単な説明】
【００１５】
【図１】本実施の形態の制振装置の構成の概略を示す模式図である。
【図２】図１に示すＩＩ−ＩＩ線に沿う制振装置の断面図である。
【図３】図１に示すカバー部材の斜視図である。
【図４】カバー部材の振動時の変形状態を示す断面模式図である。
【図５】制振装置の第一の変形例を示す断面模式図である。
【図６】制振装置の第二の変形例を示す断面模式図である。
【図７】制振装置の第三の変形例を示す断面模式図である。
【図８】制振装置の第四の変形例を示す断面模式図である。
【図９】制振装置の第五の変形例を示す断面模式図である。
【図１０】制振装置の第六の変形例を示す断面模式図である。
【図１１】制振装置の第七の変形例を示す断面模式図である。
【図１２】カバー部材の振動により発生する音の周波数と音圧との関係を示すグラフである。
【発明を実施するための形態】
【００１６】
以下、図面に基づいてこの発明の実施の形態を説明する。なお、以下の図面において、同一または相当する部分には同一の参照番号を付し、その説明は繰返さない。
【００１７】
なお、以下に説明する実施の形態において、各々の構成要素は、特に記載がある場合を除き、本発明にとって必ずしも必須のものではない。また、以下の実施の形態において、個数、量などに言及する場合、特に記載がある場合を除き、上記個数などは例示であり、本発明の範囲は必ずしもその個数、量などに限定されない。また、以下に複数の実施の形態が存在する場合、特に記載がある場合を除き、各々の実施の形態の構成を適宜組み合わせることは、当初から予定されている。
【００１８】
図１は、本実施の形態の制振装置の構成の概略を示す模式図である。図２は、図１に示すＩＩ−ＩＩ線に沿う制振装置の断面図である。図１および図２を参照して、本実施の形態の制振装置の構成について説明する。
【００１９】
本実施の形態の制振装置は、トランスアクスルケース１００の内外を電気的に接続するための端子台４０を覆う、カバー部材１０に適用される。端子台４０は、トランスアクスルケース１００に形成された貫通孔を貫通して配置される。トランスアクスルケース１００は、トランスアクスルの全体を覆い、その内部にトランスアクスルを収容する、トランスアクスルの筐体である。トランスアクスルケース１００の内部空間には、潤滑および冷却用のオイルが充填されている。トランスアクスルケース１００に形成された貫通孔には、オイルシール５２が配置されている。オイルシール５２は、端子台４０の周囲に配置されている。端子台４０とトランスアクスルケース１００との間でオイルシール５２が押し潰されるように変形することで、トランスアクスルケース１００の内部空間は液密に密封されている。
【００２０】
端子台４０は、樹脂製の本体と、本体の内部にモールドされた三つの金属製の端子４１Ｕ，４１Ｖ，４１Ｗとを有する。端子４１Ｕ，４１Ｖ，４１Ｗの両端は、端子台４０の表面に露出している。端子４１Ｕ，４１Ｖ，４１Ｗの一方端は、トランスアクスルケース１００の内部側に露出している。端子４１Ｕ，４１Ｖ，４１Ｗの他方端は、トランスアクスルケース１００の外部側に露出している。トランスアクスルケース１００の内部にはモータ６０が配置されている。モータ６０と端子４１Ｕ，４１Ｖ，４１Ｗとは、ケーブル６１Ｕ，６１Ｖ，６１Ｗによって接続されている。ケーブル６１Ｕ，６１Ｖ，６１Ｗは、たとえばネジ止めによって、同相の端子４１Ｕ，４１Ｖ，４１Ｗに固定されている。
【００２１】
カバー部材１０は、略直方体の底のない箱形状に形成されている。図３は、図１に示すカバー部材１０の斜視図である。カバー部材１０は、箱形状の上面を形成する天井部１３と、箱形状の側壁を形成する側面部１２と、側面部１２の下端から箱形状の外側に張り出したヒレ形状の張出部１１と、を有する。側面部１２の一面には貫通孔１８が形成されている。端子４１Ｕ，４１Ｖ，４１Ｗと、トランスアクスルケース１００の外部に配置されたインバータ７０と、を電気的に接続する図示しないケーブルは、この貫通孔１８を経由して配置される。
【００２２】
張出部１１には、張出部１１を厚み方向に貫通する貫通孔が形成されている（図３参照）。図２に示すように、カバー部材１０の張出部１１と端子台４０とが重ねられ、貫通孔にボルト５１を挿通して、ボルト５１をトランスアクスルケース１００に締着することで、カバー部材１０と端子台４０とはトランスアクスルケース１００に対し固定される。カバー部材１０がトランスアクスルケース１００に固定された状態で、カバー部材１０の天井部１３はトランスアクスルケース１００に対し略平行に配置され、側面部１２はトランスアクスルケース１００に対し略垂直に配置される。
【００２３】
カバー部材１０の天井部１３と側面部１２とは、薄板により形成されている。カバー部材１０は、たとえば鋼板などの金属材料により作製されており、金属の素材に任意の塑性加工が施されて形成されている。金属材料製のカバー部材１０は、加工が容易であり、板厚の小さい天井部１３および側面部１２を容易に形成できる。薄板形状の天井部１３と側面部１２とは、容易に弾性変形が可能である。カバー部材１０は、弾性変形可能な薄板部としての天井部１３および側面部１２を含む。金属材料製のカバー部材１０はまた、トランスアクスルケース１００の内部から外部への電磁波の漏洩を抑制する、電磁シールドとして機能する。
【００２４】
カバー部材１０の天井部１３には、複数の突起部１４が形成されている。突起部１４は、天井部１３の表面１６に対して、箱形状のカバー部材１０の外側へ突起している。突起部１４は、天井部１３の表面１６の一部が上方へ突起して形成されている。天井部１３の、突起部１４が形成されていない部分は、平坦な形状の平坦部１５とされている。天井部１３には、複数の突起部１４が島状に形成されている。金属材料製のカバー部材１０の天井部１３に、たとえばプレス加工などに代表される任意の塑性加工が施されることで、任意の形状の突起部１４を容易に形成できる。
【００２５】
ここで島状とは、隣接する突起部１４が互いに連接することなく個別に形成されている状態をいう。図３に示すように、矩形板状の天井部１３の辺方向の両方において、突起部１４は不連続に複数形成されており、隣接する突起部１４の間に平坦部１５が存在している。ただし、部分的に突起部１４同士が連接する部分があっても、後述する弾性部材２０とカバー部材１０との間の空隙２８の形成を阻害するものではない。したがって、島状の突起部１４とは、隣接する突起部１４の連接を全く容認しないことを意図するものではない。
【００２６】
カバー部材１０の天井部１３を覆うように、シート状の弾性部材２０が配置されている。弾性部材２０は、たとえばゴムシート、アスファルトシート、またはアルミシートなどである。弾性部材２０は、カバー部材１０の振動時に弾性変形してカバー部材１０の振動を減衰させる、減衰材としての機能を有する。弾性部材２０は、表面２１と裏面２２とを有し、表面２１が外部に露出し、裏面２２がカバー部材１０の天井部１３と対向するように配置されている。
【００２７】
天井部１３と弾性部材２０とは、シート状の接着部材３０によって接着されている。接着部材は、たとえば両面テープであってもよく、またはブチルゴム、接着剤であってもよい。接着部材３０は、天井部１３と弾性部材２０との間に介在している。接着部材３０は、表面３１と裏面３２とを有する。接着部材３０の表面３１は、その全面が弾性部材２０の裏面２２に接着している。接着部材３０の裏面３２は、カバー部材１０の天井部１３に形成された突起部１４に接着している。制振装置は、弾性部材２０を突起部１４に対し接着させる接着部材３０を備える。
【００２８】
弾性部材２０をカバー部材１０に固定するときには、まず、接着部材３０を天井部１３の表面１６に供給し、接着部材３０を表面１６に固定する。突起部１４が形成されていることにより、接着部材３０は、突起部１４の外面においてのみ天井部１３の表面１６に固定される。その後弾性部材２０を天井部１３の表面１６に接触させることにより、弾性部材２０は、接着部材３０を介在させて、カバー部材１０に固定される。
【００２９】
接着部材３０を突起部１４に供給し、その後弾性部材２０を天井部１３の表面１６に接触させることにより、弾性部材２０は接着部材３０によって、突起部１４においてカバー部材１０に接着される。シート状の接着部材３０を使用し、接着部材３０の裏面３２を突起部１４に貼付してから弾性部材２０を接着部材の表面３１に貼付することにより、簡単な作業で、弾性部材２０を、突起部１４のみにおいて天井部１３の表面１６に固定することができる。
【００３０】
突起部１４が天井部１３の表面１６から突起して形成されているので、突起部１４の形成されていない平坦部１５において、天井部１３の表面１６と接着部材３０の裏面３２との間には、空隙２８が形成されている。弾性部材２０とカバー部材１０との間には、弾性部材２０の一部がカバー部材１０に接着されておらず、弾性部材２０の一部がカバー部材１０の表面１６から浮いて配置された浮き部分が設けられている。
【００３１】
図４は、カバー部材１０の振動時の変形状態を示す断面模式図である。以上説明した構成を有する制振装置において、たとえばモータ６０またはインバータ７０で振動が発生すると、その振動はトランスアクスルケース１００に伝達され、さらにボルト５１を経由してカバー部材１０に伝達される。ボルト５１から伝達される振動が固有値と一致したとき、たとえば面外一次などのカバー部材１０の特有の振動モードで、カバー部材１０は振動する。カバー部材１０は、図４に示すように、箱状のカバー部材１０の外側に凸になり、また、カバー部材１０の内側に凸になるように弾性変形しながら、カバー部材１０の厚み方向に振動する。
【００３２】
カバー部材１０と弾性部材２０との間の一部には、空隙２８が形成されており、弾性部材２０はその全面がカバー部材１０に密着していない。弾性部材２０は、その一部のみが接着部材３０を介在させてカバー部材１０の突起部１４に固定されている。突起部１４は、弾性部材２０をカバー部材１０の天井部１３に対して固定する、固定部としての機能を有する。固定部である突起部１４のみにおいて弾性部材２０がカバー部材１０に固定されており、カバー部材１０は、突起部１４においてのみ弾性部材２０により拘束される。
【００３３】
弾性部材２０は、突起部１４において天井部１３の表面１６に固定され、表面１６に対して拘束される。一方弾性部材２０は、突起部１４以外の部分では天井部１３の表面１６に固定されず、表面１６に対して拘束されない。天井部１３の表面１６に対する弾性部材２０の拘束を最小限に留めることにより、弾性部材２０による天井部１３の振動の抑制も最小限となる。つまり、天井部１３の振動が最大限許容される。
【００３４】
天井部１３の振動に伴って、弾性部材２０も厚み方向に振動する。弾性部材２０が振動して弾性変形することで、振動エネルギーを熱エネルギーに変換して、振動を減衰させることができる。振動発生源からカバー部材１０に伝達された振動をカバー部材１０において十分に減衰させることにより、カバー部材１０から周辺の他部材への振動の伝達を抑制することができる。
【００３５】
図５〜図１１は、制振装置の変形例を示す断面模式図である。図５〜図１１では、減衰材としての弾性部材２０と、弾性部材２０をカバー部材１０に接着させるための接着部材３０と、弾性部材２０が接着されたカバー部材１０の一部と、を含む制振装置の一部が図示されている。
【００３６】
図５に示す第一の変形例、および、図６に示す第二の変形例では、カバー部材１０の表面１６は平坦に形成されている。一方、カバー部材１０に対向する弾性部材２０の裏面２２には、裏面２２の一部がカバー部材１０に向かって突起した突起部が形成されている。その結果、接着部材３０を介在させてカバー部材１０と弾性部材２０とを接着したとき、弾性部材２０と接着部材３０との間には空隙２８が形成される。空隙２８が形成され、カバー部材１０に対する弾性部材２０の拘束が最小限に留められるので、カバー部材１０および弾性部材２０を振動させて、カバー部材１０に伝達された振動を減衰させることができる。
【００３７】
図７に示す第三の変形例、および、図８に示す第四の変形例では、カバー部材１０の表面１６および弾性部材２０の裏面２２は平坦に形成されている。一方、接着部材３０の、弾性部材２０に対向する側の表面３１には、表面３１の一部が弾性部材２０に向かって突起した突起部が形成されている。その結果、接着部材３０を介在させてカバー部材１０と弾性部材２０とを接着したとき、弾性部材２０と接着部材３０との間には空隙２８が形成される。空隙２８が形成され、カバー部材１０に対する弾性部材２０の拘束が最小限に留められるので、カバー部材１０および弾性部材２０を振動させて、カバー部材１０に伝達された振動を減衰させることができる。
【００３８】
図９に示す第五の変形例では、カバー部材１０の表面１６および弾性部材２０の裏面２２は平坦に形成されている。一方、接着部材３０は一枚のシート状ではなく、複数の両面テープなどの接着部材３０が島状に、カバー部材１０と弾性部材２０との間に配置されている。その結果、接着部材３０を介在させてカバー部材１０と弾性部材２０とを接着したとき、カバー部材１０と弾性部材２０とは接着部材３０が存在する部分で固定され、接着部材３０の存在しない部分で、弾性部材２０と接着部材３０との間には空隙２８が形成される。空隙２８が形成され、カバー部材１０に対する弾性部材２０の拘束が最小限に留められるので、カバー部材１０および弾性部材２０を振動させて、カバー部材１０に伝達された振動を減衰させることができる。
【００３９】
図１０に示す第六の変形例では、弾性部材２０と接着部材３０とはいずれもシート状に形成されている。一方、カバー部材１０には、カバー部材１０を厚み方向に貫通する複数の貫通孔が形成されている。その結果、接着部材３０を介在させてカバー部材１０と弾性部材２０とを接着したとき、貫通孔の形成されていない部分で弾性部材２０はカバー部材１０に対して固定され、貫通孔の形成された部分では空隙２８が形成され、弾性部材２０がカバー部材１０に対して固定されない状態になる。弾性部材２０をカバー部材１０の表面１６に対して固定する固定部は、カバー部材１０の薄板部を貫通する貫通孔を設けることにより、形成されている。空隙２８が形成され、カバー部材１０に対する弾性部材２０の拘束が最小限に留められるので、カバー部材１０および弾性部材２０を振動させて、カバー部材１０に伝達された振動を減衰させることができる。
【００４０】
図１１に示す第七の変形例では、弾性部材２０と接着部材３０とはいずれもシート状に形成されている。一方、カバー部材１０の表面１６には、多数のスリット、または、多数の小突起が形成され、そのため表面１６には微小な凹凸が形成されている。表面に凹凸を形成する結果、接着部材３０を介在させてカバー部材１０と弾性部材２０とを接着したとき、表面１６の凸部分で弾性部材２０はカバー部材１０に対して固定され、表面１６の凹部分では空隙２８が形成され、弾性部材２０がカバー部材１０に対して固定されない状態になる。
【００４１】
この凹凸は、表面１６の一部が機械的または化学的に除去されて形成されてもよく、または、表面１６の一部に溶接、ロウ付けなどの方法で突起が接合されて形成されてもよい。弾性部材２０をカバー部材１０の表面１６に対して固定する固定部は、カバー部材１０の薄板部の表面１６に突起または窪みを設けることにより、形成されている。空隙２８が形成され、カバー部材１０に対する弾性部材２０の拘束が最小限に留められるので、カバー部材１０および弾性部材２０を振動させて、カバー部材１０に伝達された振動を減衰させることができる。
【００４２】
以上説明したように、カバー部材１０を任意に加工することで、カバー部材１０の表面１６の凹凸形状もしくはスリット、またはカバー部材１０を厚み方向に貫通する貫通孔などの、任意の形状を設け、表面１６を平坦でない形状にすることで、弾性部材２０とカバー部材１０との間に空隙２８を形成することができる。また、弾性部材２０の裏面２２に突起を設けて裏面２２を平坦でない形状にする、接着部材３０の表面３１に突起を設けて表面３１を平坦でない形状にする、または、複数の島状の接着部材３０を設ける、などにより、弾性部材２０とカバー部材１０との間に空隙２８を形成してもよい。
【００４３】
任意の方法を用いて弾性部材２０とカバー部材１０との間に空隙２８を形成することにより、弾性部材２０が表面１６の一部のみにおいてカバー部材１０に固定され、他の部分では弾性部材２０がカバー部材１０に固定されない構成を、容易に得ることができる。金属材料製のカバー部材１０をたとえばプレス加工して空隙２８を形成すれば、カバー部材１０の成形時に空隙２８を同時に成形でき、製造コストの増大を招来せず容易に空隙２８を形成することができる。
【００４４】
図１２は、カバー部材１０の振動により発生する音の周波数と音圧との関係を示すグラフである。図２に示す実施の形態の構成において、カバー部材１０の天井部１３の近傍の、天井部１３に対してトランスアクスルケース１００から離れる側の位置に、音を電気信号に変換するマイクロフォンを設置した。この状態で、モータ６０を回転駆動させ、モータ６０に連結された図示しないドライブシャフトを回転させ、このとき発生する音を上記マイクロフォンを使用して計測した。本例の場合、ギヤノイズに対応するノイズ成分を特に計測した。図１２に示す横軸はマイクロフォンにより計測された音の周波数（単位：Ｈｚ）、縦軸は当該音の音圧（単位：ｄＢ）を示す。
【００４５】
図１２には三通りのグラフが図示されている。グラフ（Ａ）は、カバー部材１０に弾性部材２０が取付けられていない場合のノイズ特性を示す。グラフ（Ｂ）は、カバー部材１０の天井部１３が平板状に形成され、弾性部材２０の一例であるゴムシートを天井部１３の全面に接着させた場合の、ノイズ特性を示す。グラフ（Ｃ）は、本実施の形態の、天井部１３に突起部１４を有するカバー部材１０を使用し、弾性部材２０としてのゴムシートとカバー部材１０の表面との間に浮き部分が形成された場合の、ノイズ特性を示す。
【００４６】
図１２に示すように、グラフ（Ａ）では、カバー部材１０の振動を減衰させるための減衰材が設けられていないので、特に中周波数から高周波数の領域において音圧が大きい。カバー部材１０にゴムシートを接着させた場合、グラフ（Ｂ）に示すように、ゴムシートがないときに比較するとある程度ノイズが低減されるものの、低周波数領域では逆に音圧が増加しているなど、ノイズの低減効果が必ずしも十分とはいえない。
【００４７】
これに対し、本実施の形態のように、ゴムシートをカバー部材１０に固定する部分と固定しない部分とを設けることで、グラフ（Ｃ）に示すように、グラフ（Ｂ）に対してさらに音圧を低減することができ、低周波数領域での音圧の増加も回避することができる。ゴムシートがカバー部材１０によって拘束される部分が最小限にされたことで、カバー部材１０および弾性部材２０を十分に振動させ、振動エネルギーを熱エネルギーに変換して、振動を十分に減衰させることができる。したがって、カバー部材１０に伝達された振動を、カバー部材１０から周辺の他部材へ伝達されることを、抑制することができる。
【００４８】
なお、これまでの説明においては、図３に示すようにカバー部材１０の矩形状の天井部１３の縦横二方向に点状に並べられた突起部１４が形成された例について説明したが、突起部１４の形状はこれに限られない。たとえば、カバー部材１０の表面１６に平行に並べられるように畝状の突起部が形成され、弾性部材２０をカバー部材１０に対して固定する固定部が縞状に形成されてもよい。弾性部材２０がカバー部材１０に全面的に接着されていなければ、弾性部材２０は、カバー部材１０に対して点状に固定されても、線状に固定されてもよい。
【００４９】
また、弾性部材２０とカバー部材１０とは接着部材３０により互いに接着固定されたが、接着部材３０で弾性部材２０とカバー部材１０とを接着する構成に限られるものではない。たとえば弾性部材を貫通するリベットを使用して、弾性部材とカバー部材とを複数箇所で固定してもよい。
【００５０】
弾性部材２０は、カバー部材１０の箱状の天井部１３に固定されたが、カバー部材１０の側面に弾性部材が取り付けられてもよい。弾性部材２０が固定される面がどの面であっても、カバー部材１０において振動エネルギーを減衰させ、カバー部材１０から他部材への振動の伝達を低減する効果を同様に得ることができる。カバー部材１０の表面１６のうち、最も振動の大きい部分に弾性部材２０を取り付けると、効率よく振動を低減できるのでより効果的である。
【００５１】
制振装置において、当該部材に伝達された振動の他の機器への振動を抑制するための対象部材は、矩形箱形状に形成されたカバー部材１０であり、弾性部材２０はカバー部材１０の平面状の表面に固定されたが、カバー部材１０は矩形箱形状でなくてもよい。弾性部材２０が固定されるカバー部材１０の表面は、平面状でなく、曲面であってもよい。
【００５２】
また、弾性部材２０が固定される対象部材は、端子台４０を覆うカバー部材１０でなくてもよい。たとえば、コイルを内蔵するアルミニウム製の筐体、気体を流通させる排気ダクトの外板を対象部材とし、対象部材に弾性部材２０を浮き部分を設けながら取り付けてもよい。任意の部材に弾性部材２０を固定することにより、当該部材に伝達された振動を低減する効果を同様に得ることができる。
【００５３】
弾性部材２０が固定される対象部材は、金属材料製でなくてもよい。たとえば樹脂材料を用いて射出成形により対象部材を作製しても、凹凸形状または貫通孔の形成された薄板部を有する対象部材を容易に得ることができる。但し、金属材料製の対象部材は強度に優れ、また電磁波を遮断する電磁シールドとしての機能を持たせることができるので望ましい。
【００５４】
ノイズを発生する振動源は、モータ６０またはインバータ７０に限られず、任意の機器であってもよい。さらに、上述した対象部材は、外部の振動源から伝達された振動を減衰させたが、振動源自身に制振装置を適用してもよい。
【００５５】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００５６】
１０  カバー部材、１１  張出部、１２  側面部、１３  天井部、１４  突起部、１５  平坦部、１６  表面、１８  貫通孔、２０  弾性部材、２１  表面、２２  裏面、２８  空隙、３０  接着部材、３１  表面、３２  裏面、４０  端子台、５１  ボルト、６０  モータ、７０  インバータ、１００  トランスアクスルケース。
【図１】
2012172791.tif 000003
【図２】
2012172791.tif 000004
【図３】
2012172791.tif 000005
【図４】
2012172791.tif 000006
【図５】
2012172791.tif 000007
【図６】
2012172791.tif 000008
【図７】
2012172791.tif 000009
【図８】
2012172791.tif 000010
【図９】
2012172791.tif 000011
【図１０】
2012172791.tif 000012
【図１１】
2012172791.tif 000013
【図１２】
2012172791.tif 000014